(57)【特許請求の範囲】
【請求項１】
主軸、駆動ユニットと、及び風力羽根体を含む公転風力羽根機構であって、
前記駆動ユニットは、
複数のリブを有した回転フレームと、前記リブに接続されたトランスミッションギアと、前記主軸に配置され前記トランスミッションギアと噛み合った固定ギアと、前記回転フレームのエッジに配置され前記トランスミッションギアと噛み合い且つ前記固定ギアの円周より２倍以上大きい回転ギアとを有し、
前記風力羽根体は、
前記回転フレームのエッジに配置された１つの回転軸と、２つの端部及び羽根ボード軸ロッドを含む羽根ボードフレームと、前記羽根ボードフレームの一つの端部に取り付けられスライドレールを有する変化基部ユニットと、前記スライドレールに配置されるスイングシャフトと、前記スイングシャフトに接続される伸縮ボードと、第１側と第２側とを有し、前記第１側は前記羽根ボード軸ロッド又は前記スイングシャフトに接続され前記第２側は前記伸縮ボードに接続される複数の羽根ボードと、を有し、
前記風力羽根体は前記回転ギアと前記風力羽根体を駆動させながら前記主軸に沿って公転し、前記固定ギアは前記回転ギアと異なる方向に回転する公転風力羽根機構。
【請求項２】
前記固定ギアは、ドライブシャフトの上のベベルギア、スピンシャフト上のギア、円筒ギア、直線ギア、平ギア、ベベルギア、クラウンギア、ディスクギア、ギアラック、フリクション・ディスクホイール、フリクション・ディスク、自在継ぎ手、ウォームホイール、ウォーム、ローラチェーン、ベルト、タイミング・ベルト、トースベルト、ノッチベルト及びプーリから一つが選択される請求項１に記載の公転風力羽根機構。
【請求項３】
前記回転ギアは、固定ギア、ドライブシャフトの上のベベルギア、スピンシャフト上のギア、円筒ギア、直線ギア、平ギア、ベベルギア、クラウンギア、ディスクギア、ギアラック、フリクション・ディスクホイール、フリクション・ディスク、自在継ぎ手、ウォームホイール、ウォーム、ローラチェーン、ベルト、タイミング・ベルト、トースベルト、ノッチベルト及びプーリから一つが選択される請求項１に記載の公転風力羽根機構。
【請求項４】
前記トランスミッションギアは、固定ギア、ドライブシャフトの上のベベルギア、スピンシャフト上のギア、円筒ギア、直線ギア、平ギア、ベベルギア、クラウンギア、ディスクギア、ギアラック、フリクション・ディスクホイール、フリクション・ディスク、自在継ぎ手、ウォームホイール、ウォーム、ローラチェーン、ベルト、タイミング・ベルト、トースベルト、ノッチベルト及びプーリから一つが選択される請求項１に記載の公転風力羽根機構。
【請求項５】
前記伸縮ボードは高剛性又は柔軟性のある請求項１に記載の公転風力羽根機構。
【請求項６】
前記羽根ボードは高剛性又は柔軟性のある請求項１に記載の公転風力羽根機構。
【請求項７】
主軸、駆動ユニットと、及び風力羽根体を含む公転風力羽根機構であって、
前記駆動ユニットは、
複数のリブを有した回転フレームと、前記リブに接続されたトランスミッションギアと、前記主軸に配置され前記トランスミッションギアと噛み合った固定ギアと、前記回転フレームのエッジに配置され前記トランスミッションギアと噛み合い且つ前記固定ギアの円周より２倍以上大きい回転ギアとを有し、
前記風力羽根体は、
前記回転フレームのエッジに配置された１つの回転軸と、羽根ボードキャスティングを含む羽根ボードフレームと、前記羽根ボードフレームの一つの端部に取り付けられスライドレールを有する変化基部ユニットと、前記スライドレールに配置されるスイングシャフトと、第１側と第２側とを有し、前記第１側は前記スイングシャフトに接続され前記第２側は前記羽根ボードキャスティングに接続される複数の羽根ボードと、を有し、
前記風力羽根体は前記回転ギアと前記風力羽根体を駆動させながら前記主軸に沿って公転し、前記固定ギアは前記回転ギアと異なる方向に回転する公転風力羽根機構。
【請求項８】
前記羽根ボードは高剛性又は柔軟性のある請求項７に記載の公転風力羽根機構。
【発明の詳細な説明】
【技術分野】
【０００１】
本発明は機構に関し、特に中心軸、駆動ユニット及び風力羽根本体を有する公転風力羽根機構に関する。
【０００２】
使われている風力羽根構造には二つのタイプがあり、一つは水平軸でもう一つは垂直軸のタイプである。最も違う点は風力羽根の形と回り方である。
【０００３】
水平軸の風力羽根の軸は流体の方向に平行である。水平軸の風力羽根は共通のすべての羽根を共通の軸中心に接続し、且つ羽根構造のより強い強度を要求する。この機構はいくつかの特別な状態の用途にだけに限られてしまう。
【０００４】
この垂直軸の風力羽根は流体の方向に対して垂直で且つ羽根に対して平行である。これは羽根を伸ばすことができ、より強い強度も要求されない、さらにより一般的な用途に使用することができる。しかし、もし垂直軸の風力羽根の羽根が固定されたならば、それは羽根の両側に同じ風力があたり、羽根が回転しなくなることを引き起こす。もし羽根がスイッチタイプであれば、上記状況を避けるため羽根の片側が止まる。しかし、もし風向が変わると、スイッチタイプの羽根は効率が下がる。
【先行技術文献】
【特許文献】
【０００５】
【特許文献１】特開２００８−２４０６４６号公報
【発明の概要】
【発明が解決しようとする課題】
【０００６】
風力羽根機構の改善は本発明の主要目的である。
【課題を解決するための手段】
【０００７】
公転風力羽根機構は、主軸、第１駆動ユニットと、及び風力羽根体を含む。第１駆動ユニットは、複数のリブを有した回転フレームと、リブに接続されたトランスミッションギアと、主軸に配置されトランスミッションギアと噛み合った固定ギアと、回転フレームのエッジに配置されトランスミッションギアと噛み合った回転ギアとを有す。風力羽根体は回転フレームのエッジに配置された１つの回転軸を有す。風力羽根体が主軸に沿って公転するとき回転ギアと風力羽根体とは回転する。そして固定ギアは回転ギアと異なる方向に回転する。
【図面の簡単な説明】
【０００８】
【図１Ａ】本件の開示の１つの実施例を示す。
【図１Ｂ】本件の開示の１つの実施例を示す。
【図１Ｃ】本件の開示の１つの実施例を示す。
【図２Ａ】本件の開示の１つの実施例を示す。
【図２Ｂ】本件の開示の１つの実施例を示す。
【図３Ａ】本件の開示の１つの実施例を示す。
【図３Ｂ】本件の開示の１つの実施例を示す。
【図４】使われている機構の風力羽根本体を示す。
【図５Ａ】本件の開示の１つの実施例を示す。
【図５Ｂ】本件の開示の１つの実施例を示す。
【図５Ｃ】本件の開示の１つの実施例を示す。
【図５Ｄ】本件の開示の１つの実施例を示す。
【図６Ａ】本件の開示の１つの実施例を示す。
【図６Ｂ】本件の開示の１つの実施例を示す。
【図６Ｃ】本件の開示の１つの実施例を示す。
【図６Ｄ】本件の開示の１つの実施例を示す。
【図７】本件の開示の実施例を示す。
【図８】本件の開示の実施例を示す。
【図９】本件の開示の実施例を示す。
【図１０】本件の開示の実施例を示す。
【発明を実施するための形態】
【０００９】
本明細書では、ギアという用語は典型的なギアに制限されない。ギアは以下のどれかを表す。：固定ギア、ドライブシャフトの上のベベルギア、回転シャフトの上のギア、円筒ギア、直線ギア、平ギア、ベベルギア、クラウンギア、ディスクギア、ギアラック、フリクション・ディスクホイール、フリクション・ディスク、自在継ぎ手、ウォームホイール、ウォーム、ローラチェーン、ベルト、タイミング・ベルト、トースベルト、ノッチベルト、プーリ。
【００１０】
図１Ａは本件明細書の第１実施例である。公転風力羽根機構Ａはベアリング２５、主軸１、第１駆動ユニット２、及び風力羽根体３を含む。第１駆動ユニット２は複数もよく、主軸１のどの位置にも配置することができる。第１駆動ユニット２は主軸１の片端又は両端に配置される。
【００１１】
図１Ｂ及び図１Ｃは第１の実施例の平面図と動作スケッチである。第１駆動ユニット２は、回転フレーム２１、トランスミッテイングギア２３、固定ギア２２、回転ギア２４を含む。回転フレーム２１は主軸１に固定されてトランスミッテイングギア２３は回転フレーム２１のリブ２１１に動かせるように配置される。固定ギア２２はベアリング２５に固定され且つトランスミッテイングギア２３に噛み合わさった回転フレーム２１の片側に配置され、固定ギア２２とベアリング２５とは一体に形成することができる。回転ギア２４は回転フレーム２１のサイドエッジ２１２に動くように配置されトランスミッテイングギア２３と噛み合う。固定ギア２２と回転ギア２４との間の円周の比率は１：２である。トランスミッテイングギア２３の数はこの実施例で奇数である。
【００１２】
回転軸３１は、風力羽根体３の少なくとも片端と回転フレーム２１のサイドエッジ２１２とに動くように配置されて、そして回転軸３１は回転ギア２４の中心軸に固定される。
固定ギア２２、トランスミッテイングギア２３及び回転ギア２４の間の伝達はつながっていて、回転軸３１が風力羽根体３の両端に配置される。回転軸３１は、回転フレーム２１のサイドエッジ２１２を貫通して、回転ギア２４の中心軸に固定されている。風力羽根体３の回転角度は、あらかじめセットされており異なった初期値を有している。ベアリング２５を旋回する風力羽根体３の公転方向は、風力羽根体３自体の回転方向と反対である。
【００１３】
図１Ｃはこの開示の第１の実施例の動作を示している。風力羽根体の回転がベアリング２５の周りで旋回することを公転といい、風力羽根体３がそれ自体旋回することを回転という。
【００１４】
公転の方向は回転の方向の反対であり、公転は公転角度によって表されて、回転は回転角度によって表されてある。角度は、主軸１の中心軸又は風力羽根体３の回転軸であるゼロポイントを有するＸ−Ｙ面上に角座標によって表される。風力があたるエリアは、羽根の表面が風の水平方向に各回転角度に応じて交差しているエリアである。公転風力羽根機構は、主軸１の中心軸をゼロポイントとして且つ±Ｘ軸線と±Ｙ軸線との断面として記述されているが、それは説明のためであって、この実施例の公転風力羽根機構の方向と位置とをこれに限られるものではない。
【００１５】
図１Ｃに示されるように、風力羽根体３の羽根表面のタイプは平面でもよいし単曲面でもよく複曲面でもよい。それぞれの風力羽根体３のあらかじめセットされる回転角度はＸ−Ｙ面で異なる。本明細書では、主軸１の中心軸をゼロポイントとして扱い０度から１８０度の公転角度の接続線を±Ｘ軸線とする。そして第１駆動ユニット２を水平方向にカットして風力羽根体３を上部と下部とに分ける。傾斜の状態は風力羽根体３の上部と下部との間で反対である。
【００１６】
あらかじめセットされる初期の回転角度ゼロを有する風力羽根体３は、公転角度ゼロの位置にセットされる。風力羽根体３の羽根の表面は±Ｘ軸線に平行で、風の方向に垂直ある。風力羽根体３は風力があたる最も大きなエリアに達し、最も風力の効果を最も多く受けられる。
【００１７】
あらかじめセットされた初期回転角度９０度の風力羽根体３は公転角度１８０度の位置にセットされ、風力羽根体３の羽根の表面は±Ｘ軸線に垂直で風の向きに平行である。風力羽根体３は風力があたる最も小さなエリアに達し、最も風力の効果を最も少なく受ける。
【００１８】
図１Ｃに示されるように、風力羽根体３は公転角度の変化に応じて、風力羽根体３自体を回転することで回転角度を変える。異なった公転角度がある風力羽根体３は異なった風力を受ける。
【００１９】
本明細書では、主軸１の中心軸をゼロポイントとして扱い９０度から２７０度の公転角度の接続線を±Ｙ軸線とする。そして第１駆動ユニット２を垂直方向にカットして風力羽根体３を左部と右部とに分ける。風力羽根体３の右部は、左部よりもより風力を受ける。風力羽根体３が風力を受け主軸１の周りを公転し始めるとき、初期位置を公転角度が２７０度の位置として説明する。
【００２０】
風力羽根体３は公転角度が２７０度の位置から０度の位置まで動くとき、固定ギア２２はベアリング２５に固定されており、風力羽根体３は渦巻くように回転フレーム２１動かし始めて、同時にトランスミッテイングギア２３を駆動させ主軸１の周りを公転させる。トランスミッテイングギア２３が固定ギア２２を連動し回転ギア２４を反対に回転させて、風力羽根体３は回転する。主軸１の公転に従って風力羽根体３は回転し、次第に回転角度を変えていく。
【００２１】
風力羽根体３が公転角度０度の位置に近づくとき、風力羽根体３は連続的に回転しており、風力があたる羽根表面は大きくなり、風力を受ける羽根表面の押す力が強くなる。
【００２２】
風力羽根体３は公転角度が０度の位置へ到達するとき、羽根表面は風の方向に垂直で風力羽根体３の表面は完全に開いており、風力羽根体３は風からもっとも大きい力を受ける。
【００２３】
風力羽根体３が公転角度０度の位置から９０度の位置へ動くとき、風力羽根体３は主軸１の公転に従いながら回り次第に回転角度が変わる。風力羽根体３は連続的に回転し、風力があたる羽根表面のエリアは少なくなり、風力を受ける羽根表面の押す力が減少する。
【００２４】
風力羽根体３が公転角度９０度の位置を通り±Ｙ軸線の左側にあるとき、風力羽根体３は公転角度が９０度の位置から１８０度の位置まで動く。回転角度の主軸１の周りの公転に従って、風力羽根体３は回転し徐々に回転角度を変える。風力羽根体３は連続的に回転し風力があたる羽根表面のエリアは減少し、風力を受ける羽根表面の押す力が減少する。
【００２５】
風力羽根体３は公転角度１８０度の位置に達したとき、羽根表面は風の向きと平行で風力羽根体３の表面は完全に閉まる。風力羽根体３はいかなる風の力もあたらない。
【００２６】
風力羽根体３は公転角度が１８０度の位置から２７０度の位置まで動くときに、主軸１の公転に従って風力羽根体３は回転し、次第に回転角度を変えていく。
風力羽根体３は連続的に回転し、風力があたる羽根表面のエリアは大きくなり、風力を受ける羽根表面の押す力が増加する。
【００２７】
風力羽根体３が公転角度２７０度の位置を通り±Ｙ軸線の右側にあるとき、風力があたる羽根表面のエリアは大きくなり、風力を受ける羽根表面の押す力が増加し風力羽根体３をもう一度最初の位置まで押す。公転風力羽根機構Ａは連続的に動作する。
【００２８】
図１Ｃに示されるように、主軸１の車軸線の左側の風力羽根体３は右側よりはるかに大きい風力を受ける。公転角度が１８０度の位置にある風力羽根体３は他の風力を受けない。公転角度が０度の位置の風力羽根体３は最も多くの風力を受ける。
【００２９】
公転角度が２７０度から０度までの位置且つ公転角度が０度から９０度まで位置の風力羽根体３は、公転角度が９０度から１８０度までの位置で且つ公転角度が１８０度から２７０度までの位置の風力羽根体３より大きな風力を受ける。
【００３０】
風力羽根体３の右側と左側の異なる風力が、同じ方向の公転を続けさせ公転風力羽根機構Ａを連続した動作に導く。風力羽根体３が一回転する毎に、風力羽根体３が主軸１の周りを２回公転する。
【００３１】
図１Ａに関して、公転風力羽根機構Ａはこの組み合わせを変えることができる。ベアリング２５なしでも同じ効果に達するであろう。異なる組み合わせは第１駆動ユニット２の異なる接続関係及び異なる動作を導く。一番大きな違いは、固定ギア２２が主軸１に固定され主軸１が固定される点であり、そして固定ギア２２は主軸１に一体に製造できるであろう。
【００３２】
回転フレーム２１は主軸１に配置され固定ギア２２の一方の側に配置される。風力羽根体３が主軸１のまわりを公転するときに、風力羽根体３は主軸１回りで回転フレーム２１を押して回転させる。こうして、風力羽根体３が回転ギア２４を反対に回転させるように、固定ギア２２に連動されたトランスミッテイングギア２３を駆動する。また、風力羽根体３が主軸１の周りを公転するとき、それ自体を回転させる。
【００３３】
主軸１の周りの風力羽根体３の公転と回転との間の接続関係と動作とは前の記述で同じである。
【００３４】
図２Ａは、本明細書の第２実施例である。公転風力羽根機構Ｂは少なくともベアリング４５、１つの主軸１、第２駆動ユニット４及び風力羽根体３を含む。主軸１は動くことができるようにベアリング４５を貫通している。第２駆動ユニット４は複数でもよく主軸１のどんな位置でも配置できる。第２駆動ユニット４は第２実施例において主軸１の片端又は両端に配置される。
【００３５】
第２駆動ユニット４は少なくとも回転フレーム４１、固定ローラー４２、ベルト４３、回転ローラー４４を含む。回転フレーム４１は主軸１に固定され固定ローラー４２は回転フレーム４１の一方に配置されている。固定ローラー４２はベアリング４５に固定され、回転ローラー４４に隣接している。回転ローラー４４は、回転フレーム４１のサイドエッジ４１１に配置されている。ベルト４３は固定ローラー４２と回転ローラー４４の間に配置されている。ベルトは固定ローラー４２と回転ローラー４４とに接続され、互いの力を伝達する。固定ローラー４２と回転ローラー４４と間の円周の比率は１：２である。
【００３６】
回転軸３１は風力羽根体３に配置され回転フレーム４１のサイドエッジ４１１を貫通する。
回転軸３１は回転ローラー４４の中心軸に固定され、回転ローラー４４と同期させて風力羽根体３を回転させる。複数の風力羽根体３は回転フレーム４１のサイドエッジ４１１に配置される。
【００３７】
図２Ｂは、異なる風力羽根体３の初期回転角度であり、各風力羽根体３のセッティング位置と初期角度は第１実施例と同じである。
【００３８】
風力羽根体３は風に押され公転し始めるとき、風力羽根体３は同期して回転するように回転フレーム４１を押す。そして、固定ローラー４２は回転ローラー４４をベルト４３で動かし回転フレーム４１で風力羽根体３を風力羽根体３の公転とともに回転させる。風力羽根体３はこの主軸１の周りの公転とともに回転し、回転角度が次第に変わっていく。
【００３９】
風力羽根体３の主軸１のまわりの公転と回転との間の接続関連と効果とは第１の実施例と同じである。
【００４０】
第２実施例は、第１の実施例の固定ギア２２、トランスミッテイングギア２３及び回転ギア２４を固定ローラー４２、ベルト４３及び回転ローラー４４に取り替える。風力羽根体３は第２実施例の中で第２駆動ユニット４といっしょに働く。風力羽根体３は同じ方向に連続的に回転するのとともに公転風力羽根機構Ｂを連続的に動作させる。風力羽根体３が一回転する毎に、風力羽根体３が主軸１の周りを２回公転する。
【００４１】
図２Ａに示されるように、公転風力羽根機構Ｂはこの組み合わせを変えることができ、ベアリング４５なしでも同じ効果を維持できる。異なる組み合わせは第２駆動ユニット４の異なる接続関係及び異なる動作を導く。最も違う所は固定ローラー４２が主軸１に固定されている。そして主軸１は固定されている。そして固定ギア４２は主軸１に一体に製造できるであろう。回転フレーム４１は主軸１に配置され固定ローラー４２の片端に配置される。風力羽根体３は風に押され主軸１の周りを公転するとき、風力羽根体３は主軸１の周りを公転するように回転フレーム４１を押す。固定ローラー４２に連動しているベルト４３は回転ローラー４４を反対方向に動かすように駆動する。そして風力羽根体３は自身の回転とともに主軸１の周りを同期して公転する。風力羽根体３の公転と回転との間の接続関連と効果は第１実施例と同じである。
【００４２】
図３Ａは、本件の第３実施例である。公転風力羽根機構Ｃは少なくともベアリング５６、主軸１、第３駆動第３駆動ユニット５及び風力羽根体３を含む。
【００４３】
主軸１は動くことができるようにベアリング５６を貫通する。第３駆動ユニット５は複数でもよく主軸１のどんな位置でも配置できる。第２駆動ユニット４は第２実施例において主軸１の片端又は両端に配置される。
【００４４】
図３Ｂは、本件の第３実施例の上からの平面図である。り、各風力羽根体３のセッティング位置と初期角度は第１実施例と同じである。
第３駆動ユニット５は少なくとも回転フレーム５１、固定ローラー５２、回転ギア５５、トランスミッテイングギア５３及びトランスミッテイングベベルギア５４を含む。
【００４５】
フレーム５１は主軸１に固定されている。ギア５２はベアリング５６固定されていてフレーム５１の片端に配置されている。固定ギア５２はベアリング５６と一体に製造することができる。回転ギア５５は回転フレーム５１のサイドエッジ５１２に動くように配置される。トランスミッテイングギア５３は回転フレーム５１のリブ５１１に水平に配置される。トランスミッテイングギア５３の両端にクラウンギアが配置され、そしてクラウンギアは平ギア又は旋回ロッドに置き換えることができる。トランスミッテイングギア５３の片端は固定ギア５２に連動する。トランスミッテイングベベルギア５４は回転フレーム５１のリブ５１１に動くように配置され、トランスミッテイングギア５３と回転ギア５５の間に配置されている。トランスミッテイングベベルギア５４はベベルギアと平ギアとから組み立てることができる。
【００４６】
固定ギア５２と回転ギア５５と間の円周の比率は１：２である。トランスミッテイングギア５３とトランスミッテイングベベルギア５４との数は奇数である。
【００４７】
回転軸３１は風力羽根体３の少なくともに片端部に配置されている。回転軸３１は、風力羽根体３を回転キア５５とともに回転させるため、回転フレーム５１のサイドエッジ５１２を貫通し回転ギア５５の中心軸に固定される。
【００４８】
風力羽根体３が押され主軸１の周りを公転するとき、風力羽根体３は同期して回転フレーム５１を回転するように導く。そしてトランスミッテイングギア５３は主軸１の回りを同期して公転する。その時固定ギア５２と連動したトランスミッテイングギア５３は回転しトランスミッテイングベベルギア５４を逆方向に回転させるように駆動する。トランスミッテイングベベルギア５４に連動した回転ギア５５は同期して回転する。風力羽根体３は主軸１の周りの公転に従って回転し風力羽根体３の回転角度は次第に変わる。風力羽根体３の回転方向は公転方向と逆である。トランスミッテイングギア５３とトランスミッテイングベベルギア５４は、回転ギア５５と固定ギア５２の間に力を伝えることができる。風力羽根体３の公転と回転との接続関連と効果とは第１実施例と同じである。
【００４９】
第３実施例は、第１実施例の固定ギア２２、トランスミッテイングギア２３及び回転ギア２４を固定ギア５２、トランスミッテイングギア５３、トランスミッテイングベベルギア５４及び回転ギア５５に取り替える。第３実施例において風力羽根体３は第３駆動ユニット５とともに働く。風力羽根体３は同じ方向に連続的に公転し、公転風力羽根機構Ｃを連続的に導く。風力羽根体３が一回転する毎に、風力羽根体３が主軸１の周りを２回公転する。
【００５０】
図３Ａに示されるように、公転風力羽根機構Ｃはこの組み合わせを変えることができ、ベアリング５６なしでも同じ効果を維持できる。この異なる組み合わせは第３駆動ユニット５の異なる接続及び動作を導く。最も異なるところは固定ギア５２が主軸１に固定され主軸１は固定されている点である。そして固定ギア５２は主軸１に一体に製造できるであろう。回転フレーム５１は主軸１に且つ固定ギア５２上で動くことができるように配置されている。風力羽根体３は風に押され主軸１の周りを公転するとき、風力羽根体３は主軸１の周りで回転フレーム５１が回転するように固定ギア５２を押す。固定ギア５２に連動するトランスミッテイングギア５３は、トランスミッテイングベベルギア５４を駆動し、回転ギア５５を反対に回転させる。風力羽根体３は回転しながら同期して主軸１の周りを公転する。風力羽根体３の公転と回転との接続関連と効果は第１実施例と同じである。
【００５１】
図４（ａ）は、使われた風力羽根体を示す。風力羽根体３は風力羽根体の使用された構造であり、風力羽根体６の羽根の表面は平面構造になっている。この平面構造は風力があたるが、風力羽根体６の側面が風力の流れを乱し風力の効率が減る。
【００５２】
図４（ｂ）は、使われた別の風力羽根体で、曲面の風力羽根体７である。風力羽根体７の羽根表面は外側に曲がった表面である。この外側に曲がっている表面構造は乱れた流れを減らす。
【００５３】
公転風力羽根機構Ａ、Ｂ又はＣは風力羽根体６又は風力羽根体７を利用したとき、風力羽根は風向に対して異なった角度のため異なる風力があたる。風力羽根体６又は風力羽根体７は異なった角度に従って形を変えることができないで、効率的に風力を利用できなかった。風力羽根体６又は風力羽根体７であっても変化する角度に対して乱れた流れを引き起こすであろう。
【００５４】
本件ではさらなる実用性のため、公転風力羽根機構のため２つタイプの風力羽根構造を提供する。
【００５５】
図５Ａは第１風力羽根体８を示す。第１風力羽根体８は羽根ボードフレーム８１、変化基部ユニット８２、複数の羽根ボード８３及び伸縮ボード８４を含む。第１風力羽根体８の片端部又は両端部に回転軸８６がある。その回転軸８６は公転風力羽根機構Ａ、Ｂ又はＣに使うことができまる。変化基部ユニット８２は第１風力羽根体８の片端か両端にセットされる。変化基部ユニット８２は第１風力羽根体８の中心軸線のどの位置にも配置できる。
【００５６】
図５Ｂ及び図５Ｃは、第１風力羽根体８の変化基部ユニット８２の拡大した概略図であり、作動前の概略図である。変化基部ユニット８２は少なくとも第１スライドレール８２２と第２スライドレール８２３とを含む。
【００５７】
第１スライドレール８２２は動かすことのできる第１スウィングシャフト８２４と弾性要素８５とを含む。弾性要素８５は第１スウィングシャフト８２４と第１スライドレール８２２の間に配置される。
【００５８】
第２スライドレール８２３は動かすことのできる第２スウィングシャフト８２５と弾性要素８５とを含む。弾性要素８５は第２スウィングシャフト８２５と第２スライドレール８２３との間にセットされる。
【００５９】
第１スウィングシャフト８２４は少なくとも１つの羽根ボード８３と接続している。羽根ボード８３は高剛性であってもよく柔軟性があってもよい。第２スウィングシャフト８２５は少なくとも伸縮ボード８４と接続している。伸縮ボード８４は高剛性タイプでもよいし曲げられる柔軟性タイプでもよい。伸縮ボード８４の両側は羽根ボード８３の片側に差し込むことができる。羽根ボードフレーム８１の羽根ボード軸ロッド８１１は少なくとも羽根ボード８３の１つに接続されており、羽根ボード８３の別の片側は伸縮ボード８４の片側に接続される。
【００６０】
図５Ｄは変化基部ユニットの動作後を示す。第１風力羽根体８が風の影響を受けたとき、羽根ボード８３は押されて羽根ボードフレーム８１の片側に近づく。羽根ボード８３は第１スウィングシャフト８２４及び第２スウィングシャフト８２５を第１スライドレール８２２及び第２スライドレール８２３内で移動させる。第１スウィングシャフト８２４及び第２スウィングシャフト８２５は第１スライドレール８２２及び第２スライドレール８２３内で弾性要素８５を圧縮する。弾性要素８５の片側が圧縮され変形される。弾性要素８５のもう片側は引っ張られ伸長する。スウィングシャフト８２４及び８２５、弾性要素８５並びに伸縮ボード８４の接続は、風力に従って羽根ボード８３動きを導き、全体的な表面形状の変化を引き起こす。
【００６１】
第１風力羽根体８の全体的な羽根表面が変化し、そして、風力を集中させ公転風力羽根機構Ａ、Ｂ又はＣの全体的効果を改良する。
【００６２】
第１風力羽根体８の羽根表面が風の向きに平行のとき、風力羽根体８の羽根表面は風力の影響を受けない。弾性要素８５は第１スウィングシャフト８２４と第２スウィングシャフト８２５とを第１スライドレール８２２及び第２スライドレール８２３の中央に押し戻し、図５Ｃに示されるように、羽根ボード８３が初期状態に戻る。
【００６３】
本明細書は上記公転風力羽根機構のための風力羽根体のもう一つの構造を開示する。
【００６４】
図６Ａ、図６Ｂ及び図６Ｃは第２風力羽根体９を示す。第２風力羽根体９は少なくとも羽根ボードフレーム９１、変化基部ユニット９２、第１スイングシャフト９２３、第２スイングシャフト９２４及び羽根ボード９３を有する。
【００６５】
回転軸９５は第２風力羽根体９の片端又は両端に配置される。羽根ボードキャスティング９１１は羽根ボードフレーム９１の片端又は両端に配置される。羽根ボードキャスティング９１１は羽根ボード９３の片側と接続される。
【００６６】
図６Ｂは第２風力羽根体９の変化基部ユニットの拡大した概略図である。
【００６７】
変化基部ユニット９２は第２風力羽根体９の中心軸のどこにでも配置することができる。変化基部ユニット９２は少なくとも第１スライドレール９２１と第２スライドレール９２２とを含む。
【００６８】
第１スウィングシャフト９２３は第１スライドレール９２１内で動かすことのでき、第１スウィングシャフト９２３の本体は羽根ボード９３に配置される。
【００６９】
図６Ｃは第２風力羽根体９の変化基部ユニットの作動前の概略図である。第２スウィングシャフト９２４は第２スライドレール９２２内で動かすことのでき、第２スウィングシャフト９２４の本体は羽根ボード９３に配置される。羽根ボード９３の片側は羽根ボードキャスティング９１１に含まれる。
【００７０】
第１スライドレール９２１内に動かすことのできる弾性要素９４がある。弾性要素９４は第１スウィングシャフト９２３の本体と第１スライドレール９２１との間に配置される。
【００７１】
第２スライドレール９２２内に動かすことのできる少なくとも弾性要素９４がある。弾性要素９４は第２スウィングシャフト９２４の本体と第２スライドレール９２２との間に配置される。
【００７２】
図６Ｄは第２風力羽根体９の変化基部ユニットの作動後の概略図である。
【００７３】
羽根ボード９３が風によって押されるとき、羽根ボード９３は第２風力羽根体９の表面の片側の近くに動く。羽根ボード９３が第１スウィングシャフト９２３を動かすように導く。第１スウィングシャフト９２３は第１スライドレール９２１内で動くことができるように配置されている弾性要素９４を圧縮する。弾性要素９４のもう片側は引っ張られ伸長する。羽根ボード９３は第２スウィングシャフト９２４を第２風力羽根体９の中心軸線に動かし、同時に第２風力羽根体９の全体的な表面形状がの変化を引き起こし、公転風力羽根機構の全体的な効率を向上させる。
【００７４】
公転風力羽根機構は主軸、駆動ユニット、及び風力羽根体を含んでいる。第１駆動ユニットはさらに複数のリブを有する回転フレーム、リブに取り付けられたトランスミッションギア、主軸で配置されトランスミッションギアと噛み合った固定ギア、および回転フレームの端部に配置されトランスミッションギアと噛み合った回転ギアを含んでいる。
【００７５】
風力羽根体は１つの回転軸を含んでいる。そして、回転軸は回転フレームの端部に配置される。したがって、風力羽根体が主軸に沿って公転するとき、回転ギアと風力羽根体の両方が、回転する。そのうえ、固定ギアは回転ギアと逆方向に回転する。
【００７６】
図７は、公転風力羽根機構の一実施例を示し、トランスミッションギア７０２は少なくとも１個のギアを含んでいる。
【符号の説明】
【００７７】
Ａ、Ｂ、Ｃ、Ｄ  …  公転風力羽根機構
１  …  主軸
２  …  駆動ユニット
３  …  風力羽根体
【図１Ａ】
0005404672.tif 000002
【図１Ｂ】
0005404672.tif 000003
【図１Ｃ】
0005404672.tif 000004
【図２Ａ】
0005404672.tif 000005
【図２Ｂ】
0005404672.tif 000006
【図３Ａ】
0005404672.tif 000007
【図３Ｂ】
0005404672.tif 000008
【図４】
0005404672.tif 000009
【図５Ａ】
0005404672.tif 000010
【図５Ｂ】
0005404672.tif 000011
【図５Ｃ】
0005404672.tif 000012
【図５Ｄ】
0005404672.tif 000013
【図６Ａ】
0005404672.tif 000014
【図６Ｂ】
0005404672.tif 000015
【図６Ｃ】
0005404672.tif 000016
【図６Ｄ】
0005404672.tif 000017
【図７】
0005404672.tif 000018
【図８】
0005404672.tif 000019
【図９】
0005404672.tif 000020
【図１０】
0005404672.tif 000021